(57)【要約】  検体の分析を実行する分析モジュール２４，２５，２６と、分析モジュール２４，２５，２６を含めた装置内のメンテナンスに関係する情報を表示する表示装置３０と、表示装置３０の表示画面にグローバル領域７０１，９０１を表示するよう制御する全体管理用コンピュータ２８と、を備え、全体管理用コンピュータ２８は、バックグランドで装置内のメンテナンスが実行され、かつメンテナンス画面以外の画面が表示装置３０に表示されているタイミングで、ユーザへメンテナンス状況を通知する必要があるときは、表示装置３０のグローバル領域７０１，９０１を含む画面に通知情報を表示させる。
2020116106.tif 000002
【特許請求の範囲】
【請求項１】
検体の分析を実行する分析部と、
前記分析部を含めた装置内のメンテナンスに関係する情報を表示する表示装置と、
前記表示装置の表示画面に常時表示領域を表示するよう制御する制御部と、を備え、
前記制御部は、バックグランドで前記装置内のメンテナンスが実行され、かつメンテナンス画面以外の画面が前記表示装置に表示されているタイミングで、ユーザへメンテナンス状況を通知する必要があるときは、前記表示装置の前記常時表示領域を含む画面に通知情報を表示させる
ことを特徴とする自動分析装置。
【請求項２】
請求項１に記載の自動分析装置において、
前記通知情報の表示では、前記常時表示領域に表示されたメンテナンスに関係するボタンを強調表示させる
ことを特徴とする自動分析装置。
【請求項３】
請求項２に記載の自動分析装置において、
前記制御部は、前記ボタンが押下されたときはメンテナンス操作画面を表示させる
ことを特徴とする自動分析装置。
【請求項４】
請求項３に記載の自動分析装置において、
前記メンテナンス操作画面には、ユーザが次に実行すべき操作が表示される
ことを特徴とする自動分析装置。
【請求項５】
請求項３に記載の自動分析装置において、
前記制御部は、前記ボタンが押下されたときは少なくとも前記分析部のメンテナンスの実行状況の情報を含むメンテナンス状況画面を表示させ、その後、メンテナンス操作画面を表示させる
ことを特徴とする自動分析装置。
【請求項６】
請求項５に記載の自動分析装置において、
前記制御部は、メンテナンスを実行する対象の前記分析部が少なくとも２以上あるときは、前記ボタンが押下されたときに前記メンテナンス状況画面を表示させ、前記メンテナンス状況画面においても前記メンテナンス状況を通知する対象の前記分析部を強調表示させる
ことを特徴とする自動分析装置。
【請求項７】
請求項３に記載の自動分析装置において、
前記メンテナンス操作画面では、ユーザが次に実行すべき操作に加えて、操作ガイド情報を表示する
ことを特徴とする自動分析装置。
【請求項８】
請求項２に記載の自動分析装置において、
前記強調表示は、前記ボタンを点滅させる、あるいは前記ボタンの表示色を変える、のうち少なくともいずれかである
ことを特徴とする自動分析装置。
【請求項９】
請求項３に記載の自動分析装置において、
複数の前記分析部を用いるメンテナンスを実施する際、前記メンテナンス操作画面の中にユーザに対して複数の前記分析部に対する操作順を指示する
ことを特徴とする自動分析装置。
【請求項１０】
請求項１に記載の自動分析装置において、
前記通知情報の表示では、前記常時表示領域が表示されている画面にポップアップ領域を表示させる
ことを特徴とする自動分析装置。
【請求項１１】
請求項１０に記載の自動分析装置において、
前記制御部は、前記ポップアップ領域にユーザが次に実行すべき操作を表示する
ことを特徴とする自動分析装置。
【請求項１２】
請求項１１に記載の自動分析装置において、
前記ポップアップ領域の中で複数の前記分析部に対する表示を行う際には、複数の前記分析部の情報をまとめて表示する
ことを特徴とする自動分析装置。
【請求項１３】
請求項１に記載の自動分析装置において、
前記制御部は、前記通知情報をどのように通知するかを選択する選択画面を表示させる
ことを特徴とする自動分析装置。
【請求項１４】
請求項１３に記載の自動分析装置において、
前記選択画面では、複数の通知方法を登録することができる
ことを特徴とする自動分析装置。
【請求項１５】
請求項１４に記載の自動分析装置において、
前記選択画面では、前記複数の通知方法の通知順を登録することができる
ことを特徴とする自動分析装置。
【発明の詳細な説明】
【技術分野】
【０００１】
本発明は、血液、尿のような生体試料（以下、検体と記載）の定性・定量分析を行う自動分析装置に係り、特に、分析動作を保守するためのメンテナンス機能を有する自動分析装置に関する。
【背景技術】
【０００２】
精度管理試料の測定結果，一般検体試料の測定結果，検知器の正常／異常などから装置の性能，機構上の状態を的確に判断し、簡便な方法で対策する機能を具備した自動分析装置の一例として、特許文献１には、精度管理試料の測定結果，一般検体試料の測定結果，検知器の正常／異常などの条件と、装置状態を判断する基準（アルゴリズム）とを照らし合わせて、対策メニューを自動的に表示し、他の画面に遷移することなく、その表示した同一メニュー画面から選択して実行する、ことが記載されている。【０００３】
また、多忙な操作者や自動分析装置に不慣れな操作者にとっても操作しやすい画面表示を備えた自動分析装置の一例として、特許文献２には、測定結果等を表示する表示装置の画面表示上の一部に、常に表示する常時表示領域を設け、検体の測定状況や発生したアラーム情報，メンテナンス情報といった、ルーチン中に発生する割り込み作業に関する複数種類の項目に関する情報を、リアルタイムで自動的に切り替えながら表示する。また、常時表示領域を操作者が選択などして要求した時には、表示中の項目に関連した情報を表示する画面表示を示す画面に遷移する、ことが記載されている。
【先行技術文献】
【特許文献】
【０００４】
【特許文献１】特開２０００−９７９４６号公報
【特許文献２】特開２０１０−２４９７５７号公報
【発明の概要】
【発明が解決しようとする課題】
【０００５】
検体の定量，定性分析を自動で行う自動分析装置は、多くの患者検体を短時間で処理する必要のある大病院，臨床検査センターを中心に普及が著しい。この自動分析装置は、処理能力に応じて大型，中型，小型の各種の処理能力を有する装置が開発されている。【０００６】
それらの自動分析装置では、より高い信頼性を保証するために定期的なメンテナンス操作が必要となる。その一方で、高い処理能力および結果出力の迅速性が求められている。【０００７】
このため、特に１日で処理する患者検体が多い施設で用いられる自動分析装置では、できる限り早く測定結果を出力するためにできる限り装置を停止させないことが望まれている。【０００８】
このためには、メンテナンス操作を簡略化し、短時間で完了させることが望まれる。このような自動分析装置として、例えば特許文献１に記載のような技術が知られている。【０００９】
検査技師による装置メンテナンスは、装置の不稼働時間を短縮するために、複数の装置メンテナンス操作を並行して実行する技術を実装することにより、効率的に実施する工夫がなされている。【００１０】
ここで、上記した特許文献１に記載の装置のように、メンテナンスを実施する際に、操作性を向上するためのガイダンス表示機能を搭載する場合、メンテナンス画面が表示されているままであれば、その画面にガイダンスを表示することでスムーズにメンテナンスを進行することができる。しかしながら、以下のような改善の余地があることが分かった。【００１１】
例えば、ある操作を実施している間は、その操作を行う画面から他の画面への移動ができないように制御されることがある。また、メンテナンス作業に並行して他の操作を実施する場合は、メンテナンス画面から他の操作を行う画面に遷移する。【００１２】
これらの場合、上述のようなガイダンスが表示されたメンテナンス画面を再度表示するためには、ユーザが自ら当該ガイダンスが表示されているメンテナンス画面に辿りつく必要がある。しかし、これには装置の操作にある程度慣れている必要があるとともに、移動にもある程度時間を必要とする。このため、多忙な操作者や自動分析装置に不慣れな操作者にとっても操作しやすい表示を行うことが望まれることが明らかとなった。【００１３】
また、特許文献２では、メンテナンスに関する情報が常時画面に表示されるようであるが、これはメンテナンス完了までの時間を表示することがメインであって、特許文献１と同様に、以下のような改善の余地があることが分かった。【００１４】
例えば、特許文献２においても、上述のようなガイダンスが表示されたメンテナンス画面を表示するためには、ユーザが自ら当該ガイダンス表示付きメンテナンス画面に辿りつく必要があり、同様に操作しやすい表示を行うことが望まれることが明らかとなった。【００１５】
本発明の目的は、メンテナンス操作と並行して他の操作を可能とし、実行中のメンテナンスにおいてユーザアクションが必要となった際にユーザに通知してガイダンス表示を行うことが可能な自動分析装置を提供することにある。
【課題を解決するための手段】
【００１６】
本発明は、上記課題を解決する手段を複数含んでいるが、その一例を挙げるならば、検体の分析を実行する分析部と、前記分析部を含めた装置内のメンテナンスに関係する情報を表示する表示装置と、前記表示装置の表示画面に常時表示領域を表示するよう制御する制御部と、を備え、前記制御部は、バックグランドで前記装置内のメンテナンスが実行され、かつメンテナンス画面以外の画面が前記表示装置に表示されているタイミングで、ユーザへメンテナンス状況を通知する必要があるときは、前記表示装置の前記常時表示領域を含む画面に通知情報を表示させることを特徴とする。
【発明の効果】
【００１７】
本発明によれば、メンテナンス操作と並行して他の操作を可能とし、実行中のメンテナンスにおいてユーザアクションが必要となった際にユーザに通知してガイダンス表示を行うことができる。上記した以外の課題、構成および効果は、以下の実施形態の説明により明らかにされる。
【図面の簡単な説明】
【００１８】
【図１】本発明の実施形態に係る自動分析装置の全体構成を示すシステムブロック図である。
【図２】本発明の実施形態に係る自動分析装置のうち、分析モジュールの一構成例を表す全体構成概略図である。
【図３】本実施形態における自動分析装置のメンテナンス実施フローを示す図である。
【図４】本実施形態における自動分析装置のメンテナンス選択画面を示す図である。
【図５】本実施形態における自動分析装置のメンテナンス実行画面を示す図である。
【図６】本実施形態における自動分析装置のメンテナンスユーザアクション通知画面を示す図である。
【図７】本実施形態における自動分析装置の常時表示領域を用いたユーザアクション通知画面を示す図である。
【図８】本実施形態における自動分析装置のメンテナンス状況確認画面を示す図である。
【図９】本実施形態における自動分析装置のユーザに対して複数の分析モジュールに対する操作順を指示する画面を示す図である。
【図１０】本実施形態における自動分析装置のユーザアクション表記を実施する際に、予めユーザが登録した操作ガイド情報を合わせて表記する画面を示す図である。
【図１１】本実施形態における自動分析装置のポップアップを用いたユーザアクション通知画面を示す図である。
【図１２】本実施形態における自動分析装置の複数の分析モジュールに対するユーザアクション表記を実施する際に、１つの操作画面に複数の分析モジュールへの情報をまとめて表示する画面を示す図である。
【図１３】本実施形態における自動分析装置のユーザアクション通知を通知する手段を事前登録する画面を示す図である。
【図１４】本実施形態における自動分析装置のユーザアクション通知を通知する手段を複数事前に登録する画面を示す図である。
【発明を実施するための形態】
【００１９】
本発明の自動分析装置の実施形態について図１乃至図１４を用いて説明する。
【００２０】
最初に、本発明の好適な一実施形態の自動分析装置の全体構成について図１を用いて説明する。図１は本発明の一実施形態による自動分析装置の全体構成を示すシステムブロック図である。
【００２１】
図１に示すように、本実施形態による自動分析装置１は、検体ラック投入部２１と、ＩＤ読取部２２と、搬送ライン２３と、分析モジュール２４，２５，２６と、検体ラック回収部２７と、全体管理用コンピュータ２８と、を備えている。
【００２２】
検体ラック投入部２１は、それぞれ複数個の検体容器１２１（図２参照）を保持する複数個の検体ラック１２０（図２参照）を投入する部分である。
【００２３】
検体ラック１２０によって保持された検体容器１２１には、血液等の検査試料（検体）に関する属性情報（受付番号，患者氏名，依頼分析項目等）を示す検体ＩＤが記録されたラベルやバーコードなどが付与されている。また、検体ラック１２０自体には、ラック番号等のラック識別情報を示すラックＩＤを示すタグが付与されている。
【００２４】
検体ラック投入部２１に置かれた検体ラック１２０は、搬送ライン２３によって搬送される。その際に、ＩＤ読取部２２により検体ＩＤや検体ラックＩＤに関する情報が読み取られ、全体管理用コンピュータ２８に送られる。
【００２５】
搬送ライン２３は、検体ラック投入部２１から投入された検体ラック１２０を、検査技師や医者等のユーザによりなされた分析依頼に従って対象となる分析モジュール２４，２５，２６へ搬送する。また、分析モジュール２４，２５，２６での分析が終了した検体ラック１２０、もしくは分析依頼がなかった検体ラック１２０を、検体ラック回収部２７に搬送する装置である。
【００２６】
搬送ライン２３は、形状の異なる検体ラック１２０を識別し、検体ラック１２０の形状に応じて搬送動作を切り分けて分析モジュール２４，２５，２６に搬送を行うように構成されている。
【００２７】
分析モジュール２４，２５，２６は、搬送ライン２３を介して搬送された検体ラック１２０に保持された検体容器１２１内の検体の分析を実行するモジュールであり、搬送ライン２３に沿って配置されているとともに、搬送ライン２３に対して取り外し可能な接続になっている。
【００２８】
分析モジュール２４，２５，２６の数は任意に設定でき、少なくとも１つ以上配置されていればよい。本実施形態では、モジュール数が３個の場合を示している。
【００２９】
全体管理用コンピュータ２８は、ＣＰＵやメモリなどを備えたコンピュータであり、検体ラック投入部２１、ＩＤ読取部２２、搬送ライン２３、および検体ラック回収部２７内の必要な制御を行う。
【００３０】
例えば、全体管理用コンピュータ２８は、ＩＤ読取部２２により読み取られた属性情報に基づいて、依頼された分析項目からどの分析モジュール２４，２５，２６で実施するかを決定する。
【００３１】
また、本実施形態の全体管理用コンピュータ２８は、表示装置３０の表示画面に検体に関する情報や分析項目に関する情報、分析結果に関する情報等の各種情報が表示される画面の表示制御を行う。更に、分析開始を行うための操作画面や分析の進行状況、メンテナンスの実行を指示する画面、メンテナンスの進捗状況に関する情報等、自動分析装置１の運用に関する各種画面を表示させる制御を実行する。この全体管理用コンピュータ２８が制御部に相当する。
【００３２】
本実施例形態の全体管理用コンピュータ２８では、特に、それら各種画面において、常時表示される領域を確保させる表示制御を実行する。常時表示される領域（常時表示領域）は、例えば図７におけるグローバル領域７０１や図１１におけるグローバル領域９０１等のような、メンテナンスボタン７０２やアラームボタン、プリントボタン、停止ボタン、開始ボタン等が表示される領域である。
【００３３】
このグローバル領域７０１，９０１が常に表示装置３０の表示画面中に表示されるため、後述する図４や図５、図６、図８、図９、図１０、図１３、１４等の画面は、図７中の検体・項目情報表示領域７０５の部分に表示される。これら各図の詳細は後述する。なお、グローバル領域７０１，９０１が表示されたままであれば、図４等の画面は図１１等のポップアップ領域９０２のようにポップアップ領域の中に表示してもよい。
【００３４】
更に、本実施形態の全体管理用コンピュータ２８は、バックグランドで装置内のメンテナンスが実行され、かつメンテナンス画面以外の画面が表示装置３０に表示されているタイミングで、ユーザへメンテナンス状況を通知する必要があるときは、表示装置３０のグローバル領域７０１，９０１を含む画面に通知情報を表示させる制御を実行する。その詳細は後述する。
【００３５】
この全体管理用コンピュータ２８には、更に、データを入力するためのキーボードやマウスで構成される操作部２９、データを表示するための表示装置３０、データを印刷するための印刷装置３２、及び分析指示情報や測定結果を記憶するための記憶装置３１等が接続されている。
【００３６】
表示装置３０は、分析結果や分析の進行状況、分析モジュール２４，２５，２６を含めた装置内のメンテナンスに関係する情報を表示する液晶ディスプレイ等の表示機器である。
【００３７】
記憶装置３１は、自動分析装置１内に投入された検体に関するデータや、分析結果を記録しているフラッシュメモリ等の半導体メモリやＨＤＤ等の磁気ディスク等の記録媒体である。この記憶装置３１は、また、自動分析装置１内の各機器の動作の制御や後述する各種表示処理等を実行するための様々なコンピュータプログラム等を記録している。
【００３８】
次に、分析モジュール２４，２５，２６の構成の概略について図２を用いて説明する。図２は、各分析モジュールの原理的な全体構成概略図である。
【００３９】
なお、以下に示す図２では、分析モジュールとしていわゆる生化学の分析項目の分析を実行する生化学分析モジュールを例に示しているが、自動分析装置に配置される分析モジュールは生化学分析モジュールに限られず、免疫の分析項目の分析を実行する免疫分析モジュールなど、他の分析項目の分析を実行するモジュールとすることができる。また、異なる分析項目の分析を実行するモジュールを１つ以上ずつ配置してもよい。
【００４０】
また、生化学分析モジュールについても図２に示す形態に限られず、他の分析項目、例えば電解質を測定する分析機器を搭載したものであってもよい。
【００４１】
図２において、分析モジュール２４，２５，２６は、反応ディスク１０９、試薬ディスク１１１、ラック搬送ベルト１１９、試薬分注プローブ１１８、検体分注プローブ１１３、撹拌装置１１４、光源１１６、多波長光度計１１７、洗浄装置１１５、コンピュータ１２３を備えている。
【００４２】
反応ディスク１０９には反応容器１１０が円周上に並んでいる。反応ディスク１０９の近くには検体容器１２１を載せた検体ラック１２０を移動するラック搬送ベルト１１９が設置されている。
【００４３】
反応ディスク１０９とラック搬送ベルト１１９の間には、回転および上下動可能な検体分注プローブ１１３が設置されている。検体分注プローブ１１３は回転軸を中心に円弧を描きながら移動して検体容器１２１から反応容器１１０への試料分注を行う。
【００４４】
試薬ディスク１１１の中には複数の試薬ボトル１１２が円周上に載置可能である。試薬ディスク１１１は保冷されており、吸引口が設けられたカバーによって覆われている。
【００４５】
反応ディスク１０９と試薬ディスク１１１の間には回転および上下動可能な試薬分注プローブ１１８が設置されている。試薬分注プローブ１１８は回転軸を中心に円弧を描きながら移動して、吸引口から試薬ディスク１１１内にアクセスし、試薬ボトル１１２から反応容器１１０への試薬の分注を行う。
【００４６】
反応ディスク１０９の周囲には、更に、洗浄装置１１５、光源１１６、多波長光度計１１７、撹拌装置１１４が配置されている。試薬分注プローブ１１８、検体分注プローブ１１３、撹拌装置１１４の動作範囲上に洗浄槽（図示省略）がそれぞれ設置されている。
【００４７】
検体容器１２１には検体が含まれ、検体ラック１２０に載せられて搬送ライン２３を介してラック搬送ベルト１１９によって運ばれる。
【００４８】
コンピュータ１２３は、ＣＰＵやメモリなどが搭載されたコンピュータから構成され、インタフェース１２２を介して上述した分析モジュール２４，２５，２６内の各機構に接続されており、それらの動作をすべて制御するとともに、血液や尿等の液体試料中の所定の成分の濃度を求める演算処理を行う。このコンピュータ１２３は、インタフェース１２２を介して全体管理用コンピュータ２８とも接続されている。
【００４９】
以上が自動分析装置１の一般的な構成である。
【００５０】
上述のような自動分析装置１による検体の分析処理は、一般的に以下の順に従い実行される。
【００５１】
操作者は、表示装置３０および操作部２９を使って自動分析装置１に対して分析指示を与える。分析指示は、記憶装置３１に記憶されると共に、全体管理用コンピュータ２８を介して分析モジュール２４，２５，２６のうち対象の分析モジュールに送信される。対象の分析モジュールは受信した分析指示に従い、次のように分析動作を行う。
【００５２】
分析モジュール２４，２５，２６では、まず、搬送ライン２３を介してラック搬送ベルト１１９によって反応ディスク１０９近くに搬送された検体ラック１２０の上に載置された検体容器１２１内の検体を、検体分注プローブ１１３により反応ディスク１０９上の反応容器１１０へと所定量だけ分注する。
【００５３】
ひとつの検体容器１２１に対する分注を完了したら、次の検体容器１２１が検体分注プローブ１１３の真下に来るようにラック搬送ベルト１１９が検体ラック１２０を移動させる。検体ラック１２０上の検体容器１２１全ての分注を完了したら、検体ラック１２０はラック搬送ベルト１１９により搬出する。
【００５４】
反応ディスク１０９の回転動作により、検体が分注された反応容器１１０は反応ディスク１０９上を回転移動する。その間に、試薬分注プローブ１１８によって、分析に使用する試薬を試薬ディスク１１１上の試薬ボトル１１２から反応容器１１０の中の検体に対して分注する。
【００５５】
続いて、撹拌装置１１４で反応容器１１０内の検体と試薬との反応液の撹拌を行う。
【００５６】
その後、光源１１６から発生させた光を反応液の入った反応容器１１０を透過させ、透過光の光度を多波長光度計１１７により測定する。
【００５７】
多波長光度計１１７により測定された吸光度信号はＡ／Ｄコンバータ１２４、インタフェース１２２を介してコンピュータ１２３に送信する。
【００５８】
コンピュータ１２３は、この吸光度信号から、あらかじめ被検物質ごとに設定された分析法に基づき、標準液検体の場合は設定された濃度データから検量線データを算出し、患者検体及びコントロール検体の場合は標準液検体の測定で得られる検量線データから濃度データを算出する。これらのデータは測定結果として、検体の種類を記号化した情報を付加した後、インタフェース１２２を介して全体管理用コンピュータ２８に送信される。
【００５９】
平行して、洗浄装置１１５によって分析の終了した反応容器１１０が洗浄され、次の分析に使用される。
【００６０】
全体管理用コンピュータ２８は、受信した測定結果を記憶装置３１に記憶すると共に、表示装置３０および印刷装置３２に出力する。
【００６１】
なお、自動分析装置は図１に示すような複数の分析モジュールで構成される場合に限られず、図２に示す各分析モジュール単体で構成される場合もある。このような場合、図２のコンピュータ１２３が図２の全体管理用コンピュータ２８と同等の各種機能を搭載していればよい。
【００６２】
次に、本実施形態の自動分析装置１におけるメンテナンス動作の詳細について図３以降を用いて説明する。最初にメンテナンスの流れについて図３を用いて説明する。図３は本発明の一実施形態による自動分析装置におけるメンテナンス実施フローを示す図である。
【００６３】
図３に示した動作フローの自動分析装置１の制御は、全体管理用コンピュータ２８によって行われる。また、図４乃至図１４に表示される画面は、表示装置３０に表示される。
【００６４】
図３において、操作者は、表示装置３０および操作部２９を使って自動分析装置１に対してメンテナンス開始指示を与える。全体管理用コンピュータ２８は、この開始指示に基づいてメンテナンス処理を開始する（ステップＳ３０１）。
【００６５】
次いで、全体管理用コンピュータ２８は、図４に示すメンテナンス選択画面を表示装置３０に表示させる（ステップＳ３０２）。これにより、ユーザに対して操作部２９を操作させ、メンテナンスアイテムボタン４０１を用いてメンテナンス項目を選択させる（ステップＳ３０２）。
【００６６】
選択ボタン４０２が押下されたことを認識したときは、全体管理用コンピュータ２８は、図５に示すメンテナンス実行画面５０１を表示装置３０に表示させる。このメンテナンス実行画面５０１では、ユーザに対して、実行対象分析モジュール選択ボタン５０２、および５０３を用いてメンテナンスを実行する対象のＡＵ（Ａｎａｌｙｓｉｓ  Ｕｎｉｔ：分析モジュール）１、ＡＵ２を選択させ（ステップＳ３０３）、実行ボタン５０４を押下させることで、メンテナンスを実行する（ステップＳ３０４）。
【００６７】
ここで示す図５のメンテナンス実行画面５０１は、自動分析装置１が複数の分析モジュール２４，２５，２６を備える例であって、検体ラック投入部２１・搬送ライン２３・検体ラック回収部２７から構成されるサンプラモジュール（ＳＵ）、各分析モジュール２４，２５，２６（それぞれＡＵ１、ＡＵ２、ＡＵ３とする）のうちの対象となるモジュールを選択するための画面の一例を示す図である。
【００６８】
その後、全体管理用コンピュータ２８は、実行中のメンテナンスにおいて、ユーザアクションの通知（通知情報）が必要となった際には、ユーザアクション通知の表示制御を実施する（ステップＳ３０５）。
【００６９】
以下、ユーザアクション通知として、図５に示すメンテナンス実行画面５０１から、ユーザが次に実行すべき操作が表示される、図６に示すようなメンテナンス実行画面６０１へ遷移する場合について説明する。図６にユーザアクション通知を行う画面表示の一例を示す。
【００７０】
図６に示すメンテナンス実行画面６０１では、対象のユニットのモジュールボタン６０２が強調表示され、ユーザアクション通知エリア６０３に通知表示が実施されている。この通知表示を参照することにより、ユーザは実行中のメンテナンスにおいて自分に求められている作業の詳細を容易に把握することができる。
【００７１】
ユーザはこのユーザアクション通知エリア６０３に表示されている「部品Ａを清掃後、継続ボタンを押下してください。」とのメッセージに基づいて部品Ａを清掃し、清掃が終了した後は継続ボタン６０４を押下することでメンテナンスを継続する。
【００７２】
また、図６に示すメンテナンス実行画面６０１では、モジュールボタン６０２が点滅する、あるいは表示色が変わるなどの強調表示によって、どの分析モジュールに対してユーザアクション通知が表示されているかを確認することができる。図６では、当該分析モジュールに対する表示パターンを変更して表示する一例を示している。
【００７３】
これらのメンテナンス実行画面６０１の表示により、ユーザはユーザアクション通知を確認し、アクションを実施する。
【００７４】
なお、図５に示すメンテナンス実行画面５０１や図６に示すメンテナンス実行画面６０１は、メンテナンス項目ごとに異なる画面表示であり、他のメンテナンス項目が実行されている場合に表示されるメンテナンス実行画面は図５や図６に示す画面とは異なる画面とすることができる。
【００７５】
アクション実施後は、ユーザは操作部２９を操作して継続ボタン６０４を押下する。全体管理用コンピュータ２８は、継続ボタン６０４を押下されたことを認識した（ステップＳ３０６）ときは、ユーザアクション承認が実施されたとして、メンテナンス動作を継続実行することができる（ステップＳ３０７）。
【００７６】
その後、必要なメンテナンス動作が全て実行されたと判断されるときは、メンテナンス動作を終了させる（ステップＳ３０８）。
【００７７】
以下、メンテナンスを実行している最中に、図３のステップＳ３０５に示すユーザアクション通知が実施される前にユーザの操作によりメンテナンス実行画面５０１が閉じられ、他の画面が表示装置３０に表示されている場合に、ユーザアクション通知が必要になった場合のユーザアクション通知の通知方法と、他の画面が表示されている場合のメンテナンス操作の一例について図７乃至図１４を用いて説明する。
【００７８】
以下、自動分析装置１におけるメンテナンス操作の１つとして、測定結果表示画面が表示されており、測定済検体情報の測定結果の検証を実施している際に、メンテナンスにおけるユーザアクションを確認する通知情報の表示を例に説明する。
【００７９】
最初に、常時表示領域を用いたユーザアクション通知（通知情報）の表示制御を実施する画面の一例について図７を用いて説明する。図７は、本実施形態の自動分析装置における常時表示領域を用いたユーザアクション通知を実施する画面表記の一例を示す図である。
【００８０】
メンテナンス画面以外の画面が表示されている際にバックグランドにて実行中のメンテナンスにおいて、ユーザ自身による作業が必要な作業が必要になったときは、全体管理用コンピュータ２８は、ユーザアクション通知の表示制御を実施する。
【００８１】
具体的には、全体管理用コンピュータ２８は、グローバル領域７０１に表示するメンテナンスボタン７０２の色を変えて表示する。これによりユーザアクション通知が実施される。
【００８２】
ユーザがこの色が変わって表示されたメンテナンスボタン７０２を押下されたことを認識すると、全体管理用コンピュータ２８は、図８に示すメンテナンス状況確認画面８０１を表示させる。
【００８３】
なお、メンテナンスボタン７０２を点滅表示させてもよいし、その他の方法で強調表示してもよい。本実施形態では、モジュールボタン６０２の表示パターンを変更して表示する場合を例に示している。
【００８４】
これにより、ユーザは、他の操作を実施している際においても、既に実施済であるメンテナンスに対するユーザアクション通知状況を確認することができる。
【００８５】
また、本実施形態ではメンテナンスを実行する対象の分析モジュール２４，２５，２６が少なくとも２以上ある場合について説明しているため、メンテナンスボタン７０２が押下されたときにまず図８に示すメンテナンス状況確認画面８０１に遷移する場合について説明するが、メンテナンスを実行する対象のモジュールが１つだけの場合に、メンテナンスボタン７０２が押下されたときは図６に示すようなメンテナンス実行画面６０１に直接遷移することができる。
【００８６】
なお、図６におけるシステム状態７０３では、システム全体の装置状態を表示している。このシステム状態７０３に表示された情報を確認することにより、ユーザは、システムがどのような状態であるかを確認することができる。
【００８７】
また、図６における残時間情報７０４では、実行中のメンテナンスの残時間を表示する。ユーザは、本情報を確認することによって、現在実行中のメンテナンスが終了する時刻を予想することができる。残時間情報７０４に表示される時間が経過した場合は、システムはスタンバイ状態へと遷移する。
【００８８】
図８に示す、メンテナンス状況確認画面８０１は、モジュールボタン６０２が押下されたときに表示される画面であり、分析モジュール状況情報ボタン８０２を確認することで、ユーザアクション通知対象の分析モジュールを確認することができる。
【００８９】
分析モジュール状況情報ボタン８０２は、少なくとも分析モジュール２４，２５，２６のメンテナンスの実行状況に関する情報を表示する領域である。
【００９０】
図８のメンテナンス状況確認画面８０１では、サンプラモジュールＳＵや分析モジュールＡＵ３はスタンバイ状態であり、メンテナンスの最終実行日が表示されている。分析モジュールＡＵ１は項目Ａのメンテナンスが現在実行中であり、且つユーザアクション通知がなされていることが強調表示によって明示されている。また、項目Ａのメンテナンスの最終実行日が表示されている。分析モジュールＡＵ２も項目Ａのメンテナンスが現在実行中であることが明示されている。なおＡＵ２はユーザアクション通知がなされていないため、特段の強調表示がなされていない。
【００９１】
ユーザは、確認した分析モジュールに対して分析モジュール状況情報ボタン８０２を用いて選択し、選択ボタン８０３を押下することで、対象の分析モジュールにおけるユーザアクション通知が表示される、図６に示すメンテナンス実行画面６０１を表示させることができる。
【００９２】
ユーザは、図６に示すメンテナンス実行画面６０１のユーザアクション通知エリア６０３に表示された通知表示を確認し、メンテナンス操作を継続して実施することができる。
【００９３】
ユーザに対してユーザアクション通知が必要なモジュールが２つ以上あるときは、図８における分析モジュール状況情報ボタン８０２を対象のモジュール全てに対して強調表示することが望ましい。この場合は、強調表示されたいずれか一つの分析モジュール状況情報ボタン８０２が押下されたときには図９に示すようなメンテナンス実行画面１００１を表示させる。
【００９４】
図９に示すメンテナンス実行画面に１００１では、ユーザアクションが必要な対象のモジュールのモジュールボタン１００２が全て強調表示されている。これによって、どの分析モジュールに対してユーザアクション通知が表示されているかを確認することができる。
【００９５】
また、ユーザアクション通知エリア１００３には、ユーザに対して複数の分析モジュールに対する操作順が指示されている。図９に示すように、最初に実行すべき「ＡＵ２の分析モジュールに対する部品Ａの清掃」と、その後に行うべき「ＡＵ１の分析モジュールに対するＡＵ２のｙｙｙ動作が完了した後での継続ボタン１００５の押下」の２つの作業が順序に表示される。
【００９６】
なお、ユーザアクション通知エリア１００３では、順位付けを行って、動作順序を数字で明示して、よりわかりやすく表示することができる。
【００９７】
ユーザは、このユーザアクション通知エリア１００３に表示された情報に基づいて、まずＡＵ２の部品Ａの清掃を行う。清掃完了後、継続ボタン１００４を押下する。その後ＡＵ２のメンテナンス動作が再開し、ＡＵ２でのｙｙｙ動作が完了したときには継続ボタン１００５を押下する。これによりメンテナンスを先に進めることができる。
【００９８】
メンテナンス実行画面では、予めユーザが登録した操作ガイド情報を合わせて表記することができる。以下図１０を用いて説明する。
【００９９】
図１０に示すメンテナンス実行画面１４０１では、ユーザアクション表記を実施する際に、予めユーザが登録した操作ガイド情報が合わせて表記されている。
【０１００】
ユーザアクション通知エリア１４０２は、システムが定義した操作指示であり、図６でのユーザアクション通知エリア６０３で表示された情報や図９でのユーザアクション通知エリア１００３で表示された情報と同じ装置からユーザ側へ提供される情報である。
【０１０１】
これに対し、操作ガイド情報１４０３は、ユーザが予め登録した情報であり、例えば自らが過去に部品Ａを清掃する際に注意したほうが良いと感じた「ＸＸＸ」との情報を予め登録しておくことで、部品Ａを清掃する際の留意事項が併せて通知される。
【０１０２】
以下、常時表示領域を用いたユーザアクション通知（通知情報）の表示制御を実施する画面の他の一例について図１１を用いて説明する。
【０１０３】
メンテナンス画面以外の画面が表示されている際にバックグランドにて実行中のメンテナンスにおいて、ユーザ自身による作業が必要な作業が必要になったときは、全体管理用コンピュータ２８は、ユーザアクション通知の表示制御を実施する際に、表示画面に関わらず常時表示するグローバル領域９０１に、ユーザアクション通知９０３を含むポップアップ領域９０２を表示する。
【０１０４】
ユーザは、ユーザアクション通知９０３に表示されているユーザはこのユーザアクション通知エリア６０３に表示されている「部品Ａを清掃後、継続ボタンを押下してください。」とのメッセージに基づいて部品Ａを清掃し、清掃が終了した後は継続ボタン９０４を押下することでメンテナンスを継続する。
【０１０５】
このようなポップアップを用いる場合において、ユーザに対してユーザアクション通知が必要なモジュールが２つ以上ある場合は、ポップアップ領域９０２の替わりに図１２に示すようなポップアップ領域１３０１を表示する。
【０１０６】
図１２に示すようには、ポップアップ領域１３０１には複数の分析モジュールに対するユーザアクション通知をまとめて表示している。
【０１０７】
また、承認ボタン１３０２を押下することで、複数の分析モジュールに対する承認をまとめて実施することができる。
【０１０８】
なお、上述のポップアップ領域９０２，１３０１を用いる場合にも、図９のユーザアクション通知エリア１００３のように複数のユニットに対する操作順を表示したり、図１０の操作ガイド情報１４０３のようにユーザがあらかじめ登録した情報を表示したりしてもよい。
【０１０９】
次に、通知情報をどのように通知するかを選択する方法について図１３および図１４を用いて説明する。図１３は、ユーザアクション通知を通知する手段を事前登録する手段の一例を示す図、図１４はユーザアクション通知を通知する手段を複数事前に登録する手段の他の一例を示す図である。
【０１１０】
全体管理用コンピュータ２８は、通知情報をどのように通知するかを選択する選択画面１１０１を表示させる。図１３に示す例では、通知情報の通知手段１１０２として、「メッセージ（図７等）」、「ポップアップ（図１１等）」、「システムアラーム」の３つから選択することができる場合を例に示している。選択した通知方法を保存するときは保存ボタン１１０３を選択する。
【０１１１】
また、選択画面では、各メンテナンスに対して複数の通知方法を登録することができる。図１４に示す選択画面１２０１では、各メンテナンスに対して第１通知手段１２０２Ａ、および第２通知手段１２０２Ｂを登録することができる場合を例に示している。
【０１１２】
この場合、最初に第１通知手段１２０２Ａによりユーザアクション通知の表示制御がなされ、一定時間経過した後でもユーザによる承認が実施されない場合に第２通知手段１２０２Ｂによる通知を実施し、再度ユーザに対してアクション通知を実施することができる。
【０１１３】
なお、図１４では、第１通知手段１２０２Ａおよび第２通知手段１２０２Ｂを登録する手段について記載したが、それ以上の複数の通知手段を設けることができる。
【０１１４】
また、第１通知手段１２０２Ａによる通知後に第２通知手段１２０２Ｂによる通知がなされるまでの時間を任意に設定可能とすることができる。当然、２以上の通知手段を登録可能とする場合、それらの全てで時間を任意に設定可能である。
【０１１５】
次に、本実施形態の効果について説明する。
【０１１６】
上述した本実施形態の自動分析装置１は、検体の分析を実行する分析モジュール２４，２５，２６と、分析モジュール２４，２５，２６を含めた装置内のメンテナンスに関係する情報を表示する表示装置３０と、表示装置３０の表示画面にグローバル領域７０１，９０１を表示するよう制御する全体管理用コンピュータ２８と、を備え、全体管理用コンピュータ２８は、バックグランドで装置内のメンテナンスが実行され、かつメンテナンス画面以外の画面が表示装置３０に表示されているタイミングで、ユーザへメンテナンス状況を通知する必要があるときは、表示装置３０のグローバル領域７０１，９０１を含む画面に通知情報を表示させる。
【０１１７】
これによって、メンテナンス操作と並行し、他の操作を実施している場合においても、ユーザに対してユーザアクション通知があることを簡単に、かつ確実に通知することができる。また、ユーザはメンテナンスボタン７０２の強調表示やポップアップ領域９０２の表示によって当該メンテナンス実行画面６０１，１００１，１４０１やユーザアクション通知９０３へ簡易に移動することができ、速やかに求められているメンテナンス操作を実施することが可能となる。
【０１１８】
すなわち、従来技術では困難であった、メンテナンス画面以外の画面から対話型メンテナンス画面にスムーズに誘導することができるため、効率的なメンテナンス操作を実施することができる。
【０１１９】
また、通知情報の表示では、グローバル領域７０１に表示されたメンテナンスに関係するメンテナンスボタン７０２を強調表示させるため、他の画面を操作している際にも、ユーザに対して注意を引く視覚的な形でユーザアクション通知があることを通知することができ、よりスムーズにメンテナンス実行画面６０１，１００１，１４０１へ移行させることができる。
【０１２０】
更に、全体管理用コンピュータ２８は、メンテナンスボタン７０２が押下されたときはメンテナンス実行画面６０１，１００１，１４０１を表示させることで、簡易な操作で実行画面まで遷移させることができる。
【０１２１】
また、メンテナンス実行画面６０１，１００１，１４０１には、ユーザが次に実行すべき操作が表示されることにより、ユーザは自らに求められる作業がどのようなものであるかを容易に把握させることができ、速やかに実行に移ることができるため、メンテナンスをよりスムーズに進行させることができる。
【０１２２】
更に、全体管理用コンピュータ２８は、メンテナンスボタン７０２が押下されたときは少なくとも分析モジュール２４，２５，２６のメンテナンスの実行状況の情報を含むメンテナンス状況確認画面８０１を表示させ、その後、メンテナンス実行画面６０１，１００１，１４０１を表示させることで、分析モジュールが複数存在する場合や、メンテナンス項目によって表示されるメンテナンス操作画面が異なる場合であっても、対象となる分析モジュールがいずれであるかを容易に把握させることができる。
【０１２３】
また、全体管理用コンピュータ２８は、メンテナンスを実行する対象の分析モジュール２４，２５，２６が少なくとも２以上あるときは、メンテナンスボタン７０２が押下されたときにメンテナンス状況確認画面８０１を表示させ、メンテナンス状況確認画面８０１においてもメンテナンス状況を通知する対象の分析モジュール２４，２５，２６を強調表示させることにより、対象となる分析モジュールがいずれであるかを更に容易に把握させることができ、さらにスムーズにメンテナンス実行画面６０１，１００１，１４０１へ移行することができる。
【０１２４】
更に、メンテナンス実行画面１４０１では、ユーザが次に実行すべき操作に加えて、操作ガイド情報１４０３を表示することで、更なる操作性の向上を図り、メンテナンスの実効性を高めることができる。
【０１２５】
また、強調表示は、メンテナンスボタン７０２を点滅させる、あるいはメンテナンスボタン７０２の表示色を変える、のうち少なくともいずれかであることにより、視覚的に把握しやすい方法でユーザに通知することができる。
【０１２６】
更に、複数の分析モジュール２４，２５，２６を用いるメンテナンスを実施する際、メンテナンス実行画面６０１，１００１，１４０１の中にユーザに対して複数の分析モジュール２４，２５，２６に対する操作順を指示することで、指示に従ってユーザ操作をガイダンスすることができるため、複雑な状況であってもスムーズにメンテナンスを実行することができる。
【０１２７】
また、通知情報の表示では、グローバル領域９０１が表示されている画面にポップアップ領域９０２を表示させることによっても、ユーザに対して注意を引く視覚的な形でユーザアクション通知があることを知らせることができ、よりスムーズにユーザによる作業が必要なメンテナンスを開始させることができる。
【０１２８】
更に、全体管理用コンピュータ２８は、ポップアップ領域９０２に、少なくとも分析モジュール２４，２５，２６のメンテナンスの実行状況、およびユーザが次に実行すべき操作を表示することで、対象となる分析モジュールがいずれであるかを容易に把握し、自らに求められる作業がどのようなものであるかを容易に把握することができる。
【０１２９】
また、ポップアップ領域９０２の中で複数の分析モジュール２４，２５，２６に対する表示を行う際には、複数の分析モジュール２４，２５，２６の情報をまとめて表示することにより、表記エリアを最小限とすることができ、ユーザアクション通知をスムーズに把握させることができる。
【０１３０】
更に、全体管理用コンピュータ２８は、通知情報をどのように通知するかを選択する選択画面１１０１を表示させることで、各メンテナンスを実施した際、事前に登録された通知手段に従い、ユーザに対するアクション通知を実施することができ、ユーザの運用に合わせた通知手段を適用することが可能となる。
【０１３１】
また、選択画面１１０１では、複数の通知方法を登録することができることにより、各メンテナンスを実施する際に、事前に登録された通知手段に従い、段階的に通知を行うことができる。よって、ユーザに対して通知を確実に伝えることが可能となる。
【０１３２】
特に、選択画面１１０１では、複数の通知方法の通知順を登録することができることで、ユーザに対する通知をより運用に合わせた形で確実に実施することができる。
【０１３３】
＜その他＞  
なお、本発明は上記の実施形態に限られず、種々の変形、応用が可能なものである。上述した実施形態は本発明を分かりやすく説明するために詳細に説明したものであり、必ずしも説明した全ての構成を備えるものに限定されない。
【符号の説明】
【０１３４】
１…自動分析装置
２１…検体ラック投入部
２２…ＩＤ読取部
２３…搬送ライン
２４，２５，２６…分析モジュール
２７…検体ラック回収部
２８…全体管理用コンピュータ（制御部）
２９…操作部
３０…表示装置
３１…記憶装置
３２…印刷装置
１０９…反応ディスク
１１０…反応容器
１１１…試薬ディスク
１１２…試薬ボトル
１１３…検体分注プローブ
１１４…撹拌装置
１１５…洗浄装置
１１６…光源
１１７…多波長光度計
１１８…試薬分注プローブ
１１９…ラック搬送ベルト
１２０…検体ラック
１２１…検体容器
１２２…インタフェース
１２３…コンピュータ
１２４…Ａ／Ｄコンバータ
４０１…メンテナンスアイテムボタン
４０２…選択ボタン
５０１…メンテナンス実行画面
５０２…実行対象分析モジュール選択ボタン
５０４…実行ボタン
６０１…メンテナンス実行画面（メンテナンス操作画面）
６０２…モジュールボタン
６０３…ユーザアクション通知エリア（通知情報）
６０４…継続ボタン
７０１…グローバル領域（常時表示領域）
７０２…メンテナンスボタン
７０３…システム状態
７０４…残時間情報
７０５…検体・項目情報表示領域
８０１…メンテナンス状況確認画面
８０２…分析モジュール状況情報ボタン
８０３…選択ボタン
９０１…グローバル領域（常時表示領域）
９０２…ポップアップ領域
９０３…ユーザアクション通知（通知情報）
９０４…継続ボタン
１００１…メンテナンス実行画面（メンテナンス操作画面）
１００２…モジュールボタン
１００３…ユーザアクション通知エリア
１００４…継続ボタン
１００５…継続ボタン
１１０１…選択画面
１１０２…通知手段
１１０３…保存ボタン
１２０１…選択画面
１２０２Ａ…第１通知手段
１２０２Ｂ…第２通知手段
１３０１…ポップアップ領域
１３０２…承認ボタン
１４０１…メンテナンス実行画面（メンテナンス操作画面）
１４０２…ユーザアクション通知エリア
１４０３…操作ガイド情報
【図１】
2020116106.tif 000003
【図２】
2020116106.tif 000004
【図３】
2020116106.tif 000005
【図４】
2020116106.tif 000006
【図５】
2020116106.tif 000007
【図６】
2020116106.tif 000008
【図７】
2020116106.tif 000009
【図８】
2020116106.tif 000010
【図９】
2020116106.tif 000011
【図１０】
2020116106.tif 000012
【図１１】
2020116106.tif 000013
【図１２】
2020116106.tif 000014
【図１３】
2020116106.tif 000015
【図１４】
2020116106.tif 000016
【国際調査報告】
2020116106.tif 000017
2020116106.tif 000018
2020116106.tif 000019
2020116106.tif 000020